(57)【要約】【課題】線状部材の収納を可能としつつ、薄型化を実現できるコード収納装置を提供する。【解決手段】コード収納装置１は、コード収納部Ｓ１と、ワイヤー収納部Ｓ２と、ワイヤー出入部６０とを備える。コード収納部Ｓ１は、照明器具本体２００に電力を供給するコード５を収納する。ワイヤー収納部Ｓ２は、照明器具本体２００に接続されるワイヤー５０を収納する。平面視において、コード収納部Ｓ１とワイヤー収納部Ｓ２とは異なる位置に配置される。ワイヤー出入部６０は、ワイヤー収納部Ｓ２からのワイヤー５０の引き出しと、ワイヤー収納部Ｓ２へのワイヤー５０の押し込みとが可能なように形成される。【選択図】図３
2016186885.tif 000002
【特許請求の範囲】
【請求項１】
照明器具本体に電力を供給するコードを収納するコード収納部と、
前記照明器具本体に接続される線状部材を収納する線状部材収納部と
を備え、
平面視において、前記コード収納部と前記線状部材収納部とは異なる位置に配置される、コード収納装置。
【請求項２】
前記コードを介して前記照明器具本体に前記電力を供給する電源部を収納する電源収納部と、
前記電源収納部と前記線状部材収納部とを隔てる隔壁部と
をさらに備える、請求項１に記載のコード収納装置。
【請求項３】
前記線状部材収納部からの前記線状部材の引き出しと、前記線状部材収納部への前記線状部材の押し込みとが可能なように形成される線状部材出入部をさらに備え、
前記線状部材出入部には、前記線状部材が前記線状部材出入部の軸線に沿って挿通され、
前記隔壁部は、前記線状部材出入部の前記軸線に向かって傾斜している傾斜部を含む、請求項２に記載のコード収納装置。
【請求項４】
前記線状部材収納部からの前記線状部材の引き出しと、前記線状部材収納部への前記線状部材の押し込みとが可能なように形成される線状部材出入部をさらに備え、
前記線状部材出入部には、前記線状部材が前記線状部材出入部の軸線に沿って挿通され、
前記線状部材収納部の内壁面は、前記線状部材出入部の前記軸線に沿って延びる湾曲面を含む、請求項１又は請求項２に記載のコード収納装置。
【請求項５】
前記線状部材収納部からの前記線状部材の引き出しと、前記線状部材収納部への前記線状部材の押し込みとが可能なように形成される線状部材出入部をさらに備え、
前記線状部材出入部には、前記線状部材が前記線状部材出入部の軸線に沿って挿通され、
前記線状部材収納部は、前記線状部材収納部の内壁面から突出する凸部を含み、
前記凸部は、前記線状部材出入部の前記軸線に沿って延びる、請求項１又は請求項２に記載のコード収納装置。
【請求項６】
前記コード収納部からの前記コードの引き出しと、前記コード収納部への前記コードの引き入れとが可能なように形成されるコード出入部をさらに備え、
前記コード収納部は、前記コードが巻かれる巻き部を含み、
平面視において、前記コード出入部と前記巻き部とは異なる位置に配置される、請求項１又は請求項２に記載のコード収納装置。
【請求項７】
前記線状部材収納部からの前記線状部材の引き出しと、前記線状部材収納部への前記線状部材の押し込みとが可能なように形成される線状部材出入部をさらに備え、
平面視において、前記コード出入部は、前記巻き部と前記線状部材出入部との間に配置される、請求項６に記載のコード収納装置。
【請求項８】
光源を有する照明器具本体と、
コード収納装置と
を備え、
前記コード収納装置は、
前記照明器具本体の前記光源に電力を供給するコードを収納するコード収納部と、
前記照明器具本体に接続される線状部材を収納する線状部材収納部と
を含み、
平面視において、前記コード収納部と前記線状部材収納部とは異なる位置に配置される、照明器具。
【発明の詳細な説明】
【技術分野】
【０００１】
本発明は、コード収納装置及び照明器具に関する。
【背景技術】
【０００２】
特許文献１に記載された調整装置は、照明器具を吊り下げるコードの長さを調整する。調整装置は、天井に固定された配線ダクトに装着され、調整装置から引き出されたコードによって照明器具が吊り下げられる。調整装置は、コードを収納する収納ケースを備える。
【先行技術文献】
【特許文献】
【０００３】
【特許文献１】特開２００６−２９４３４５号公報
【発明の概要】
【発明が解決しようとする課題】
【０００４】
しかしながら、特許文献１に記載された調整装置には、次のような課題があった。すなわち、照明器具を吊り下げるワイヤーのような線状部材を収納するために、コードの収納ケースを拡張すると、調整装置の鉛直方向に沿った長さが大きくなる。その結果、調整装置の天井からの突出量が大きくなり、調整装置と天井との一体感が損なわれる。
【０００５】
本発明は上記課題に鑑みてなされたものであり、その目的は、線状部材の収納を可能としつつ、薄型化を実現できるコード収納装置及び照明器具を提供することにある。
【課題を解決するための手段】
【０００６】
本願に開示するコード収納装置は、コード収納部と、線状部材収納部とを備える。コード収納部は、照明器具本体に電力を供給するコードを収納する。線状部材収納部は、前記照明器具本体に接続される線状部材を収納する。平面視において、前記コード収納部と前記線状部材収納部とは異なる位置に配置される。
【０００７】
本願に開示するコード収納装置は、電源収納部と、隔壁部とをさらに備えることが好ましい。電源収納部は、前記コードを介して前記照明器具本体に前記電力を供給する電源部を収納することが好ましい。隔壁部は、前記電源収納部と前記線状部材収納部とを隔てることが好ましい。
【０００８】
本願に開示するコード収納装置は、線状部材出入部をさらに備えることが好ましい。線状部材出入部は、前記線状部材収納部からの前記線状部材の引き出しと、前記線状部材収納部への前記線状部材の押し込みとが可能なように形成されることが好ましい。前記線状部材出入部には、前記線状部材が前記線状部材出入部の軸線に沿って挿通されることが好ましい。前記隔壁部は、前記線状部材出入部の前記軸線に向かって傾斜している傾斜部を含むことが好ましい。
【０００９】
本願に開示するコード収納装置は、線状部材出入部をさらに備えることが好ましい。線状部材出入部は、前記線状部材収納部からの前記線状部材の引き出しと、前記線状部材収納部への前記線状部材の押し込みとが可能なように形成されることが好ましい。前記線状部材出入部には、前記線状部材が前記線状部材出入部の軸線に沿って挿通されることが好ましい。前記線状部材収納部の内壁面は、前記線状部材出入部の前記軸線に沿って延びる湾曲面を含むことが好ましい。
【００１０】
本願に開示するコード収納装置は、線状部材出入部をさらに備えることが好ましい。線状部材出入部は、前記線状部材収納部からの前記線状部材の引き出しと、前記線状部材収納部への前記線状部材の押し込みとが可能なように形成されることが好ましい。前記線状部材出入部には、前記線状部材が前記線状部材出入部の軸線に沿って挿通されることが好ましい。前記線状部材収納部は、前記線状部材収納部の内壁面から突出する凸部を含むことが好ましい。前記凸部は、前記線状部材出入部の前記軸線に沿って延びることが好ましい。
【００１１】
本願に開示するコード収納装置は、コード出入部をさらに備えることが好ましい。コード出入部は、前記コード収納部からの前記コードの引き出しと、前記コード収納部への前記コードの引き入れとが可能なように形成されることが好ましい。前記コード収納部は、前記コードが巻かれる巻き部を含むことが好ましい。平面視において、前記コード出入部と前記巻き部とは異なる位置に配置されることが好ましい。
【００１２】
本願に開示するコード収納装置は、線状部材出入部をさらに備えることが好ましい。線状部材出入部は、前記線状部材収納部からの前記線状部材の引き出しと、前記線状部材収納部への前記線状部材の押し込みとが可能なように形成されることが好ましい。平面視において、前記コード出入部は、前記巻き部と前記線状部材出入部との間に配置されることが好ましい。
【００１３】
本願に開示する照明器具は、光源を有する照明器具本体と、コード収納装置とを備える。前記コード収納装置は、コード収納部と、線状部材収納部とを含む。コード収納部は、前記照明器具本体の前記光源に電力を供給するコードを収納する。線状部材収納部は、前記照明器具本体に接続される線状部材を収納する。平面視において、前記コード収納部と前記線状部材収納部とは異なる位置に配置される。
【発明の効果】
【００１４】
本発明によれば、線状部材の収納を可能としつつ、コード収納装置の薄型化を実現できる。
【図面の簡単な説明】
【００１５】
【図１】本発明の実施形態に係るコード収納装置を備える照明器具を下側から見た斜視図である。
【図２】本発明の実施形態に係るコード収納装置の筐体からカバーを取り外した状態を示す斜視図である。
【図３】本発明の実施形態に係るコード収納装置を示す断面図である。
【図４】本発明の実施形態に係るコード収納装置を示す平面図である。
【図５】（ａ）本発明の実施形態に係るコード収納装置の筐体を示す斜視図である。（ｂ）本発明の実施形態に係るコード収納装置の筐体を示す平面図である。
【発明を実施するための形態】
【００１６】
以下、本発明の実施形態について、図面を参照しながら説明する。なお、図中、同一または相当部分については同一の参照符号を付して説明を繰り返さない。実施形態において、Ｘ軸及びＹ軸は水平方向に沿っており、Ｚ軸は鉛直方向に沿っており、Ｘ軸、Ｙ軸、及びＺ軸は互いに直交する。
【００１７】
図１は、本発明の実施形態に係るコード収納装置１を備える照明器具３００を下側から見た斜視図である。図１に示すように、照明器具３００は、コード収納装置１と、コード５と、線状部材としてのワイヤー５０と、照明器具本体２００とを備える。照明器具３００は、配線ダクト１００に着脱可能である。
【００１８】
照明器具本体２００は光源２０２を備える。光源２０２は、例えば、白熱電球、蛍光灯、又はＬＥＤ（Ｌｉｇｈｔ  Ｅｍｉｔｔｉｎｇ  Ｄｉｏｄｅ）を含む。
【００１９】
コード収納装置１は、配線ダクト１００に装着され、コード５及びワイヤー５０を収納する。コード収納装置１は、鉛直方向に交差する方向に沿って延びる。本実施形態では、鉛直方向に交差する方向は、鉛直方向に直交する方向である。ただし、鉛直方向に交差する方向は、鉛直方向に対して傾斜する方向でもよい。コード収納装置１は、筐体３Ａと、カバー３Ｂと、コード出入部６と、線状部材出入部としてのワイヤー出入部６０とを備える。
【００２０】
コード５は、コード出入部６を通してコード収納装置１から引き出され、照明器具本体２００に接続される。コード５は、配線ダクト１００に印加される電源電圧に基づく電力を照明器具本体２００の光源２０２に供給する。ワイヤー５０は、ワイヤー出入部６０を通してコード収納装置１から引き出され、照明器具本体２００に接続される。そして、ワイヤー５０は照明器具本体２００を吊り下げる。コード収納装置１から引き出されたワイヤー５０とコード５とは、単数又は複数の結束具５２によって束ねられる。なお、結束具５２は設けなくてもよい。
【００２１】
配線ダクト１００は、長尺状であり、天井のような天壁に固定される。配線ダクト１００は、天壁に固定された状態において、鉛直方向に交差する方向に沿って延びている。配線ダクト１００は、一対の導電部１０２、一対の凹部１０４、及び開口部１０６を含む。一対の導電部１０２、一対の凹部１０４、及び開口部１０６は、それぞれ、配線ダクト１００の長手方向に沿って延びる。一対の導電部１０２には、光源２０２に電力を供給するための電源電圧が印加される。
【００２２】
図２〜図５を参照して、コード収納装置１の詳細について説明する。図２は、コード収納装置１の筐体３Ａからカバー３Ｂを外した状態を示す図である。図３は、コード収納装置１を示す断面図である。図４は、コード収納装置１を示す平面図である。図５（ａ）は、筐体３Ａを示す斜視図である。図５（ｂ）は、筐体３Ａを示す平面図である。
【００２３】
図２〜図４に示すように、コード収納装置１はコード収納部Ｓ１をさらに備える。コード収納部Ｓ１はコード５を収納する空間を有する。具体的には、コード収納部Ｓ１は、コード５が巻かれる巻き部１１を含む。巻き部１１は、板状のストッパー１３及びコア２５を含む。コア２５は、筐体３Ａの外下面２２から垂直方向に延びる。ストッパー１３は、外下面２２に沿っており、コア２５の先端縁に固定される。コード５はコア２５に巻かれる。コア２５へのコード５の巻き方は任意である。ストッパー１３は、コア２５に巻かれたコード５がコア２５から外れることを防止する。なお、コア２５は、筐体３Ａに一体成形されているが、別部品としてもよい。ストッパー１３は、コア２５とは別部品で構成されているが、一体成形してもよい。
【００２４】
巻き部１１に巻かれたコード５を所望の長さだけ解いて、コード５を所望の長さだけ巻き部１１から引き出したり、コード５を所望の長さだけ巻き部１１に巻き取ったりできる。このように、コード収納装置１から照明器具本体２００までのコード５の長さを自在に調整できる。また、カバー３Ｂは筐体３Ａの下部に装着される。その結果、巻き部１１はカバー３Ｂに覆われるため、巻き部１１と巻き部１１に巻かれたコード５とを保護したり、コード５が巻き部１１から不意に解かれることを防止したり、美感を向上したりできる。
【００２５】
コード出入部６には、コード収納部Ｓ１から延びるコード５が挿通される。コード出入部６は、コード収納部Ｓ１からのコード５の引き出しと、コード収納部Ｓ１へのコード５の引き入れとが可能なように形成される。本実施形態では、コード出入部６は、カバー３Ｂの下部に形成された開口部（例えば、貫通孔）である。
【００２６】
図４に示すように、平面視において、コード出入部６と巻き部１１とは異なる位置に配置される。換言すれば、コード出入部６は、巻き部１１の鉛直下方の領域に対してずれた位置に形成される。従って、コード出入部６は、鉛直方向において巻き部１１と重ならない。その結果、コード出入部を巻き部の下方に配置した場合と比較して、コード５が折れ曲がったり、コード５が折り返されるように曲がったりすることを抑制でき、コード５の耐久性を向上できる。また、巻き部１１のストッパー１３とカバー３Ｂとの間の空間ＳＰを狭くでき、コード収納装置１を薄型化できる。コード収納装置１の薄型化とは、配線ダクト１００に装着されたコード収納装置１の鉛直方向に沿った厚みを薄くすることである。
【００２７】
また、平面視において、コード出入部６は、巻き部１１とワイヤー出入部６０との間に配置される。従って、平面視において、巻き部を挟むようにコード出入部とワイヤー出入部とが配置される場合と比較して、ワイヤー５０がワイヤー収納部Ｓ２から引き出される位置と、コード５がコード収納部Ｓ１から引き出される位置とが近くなる。その結果、ワイヤー５０とコード５との間の距離が小さくなり、ワイヤー５０とコード５とを束ね易くなる。
【００２８】
コード収納装置１はワイヤー収納部Ｓ２をさらに備える。ワイヤー収納部Ｓ２は、筐体３Ａに形成され、略コイル状に巻かれるワイヤー５０を収納する空間を有する。ワイヤー５０の末端にはストッパー８２が設けられる。ストッパー８２は、ワイヤー調節部６６の基部６３の内径よりも大きいため、ワイヤー５０がワイヤー収納部Ｓ２から抜け落ちることを防止する。
【００２９】
平面視において、ワイヤー収納部Ｓ２とコード収納部Ｓ１とは異なる位置に配置される。換言すれば、ワイヤー収納部Ｓ２とコード収納部Ｓ１とは、鉛直方向に交差する方向に沿って並んで配置される。さらに換言すれば、ワイヤー収納部Ｓ２とコード収納部Ｓ１とは、コード収納装置１の長手方向に沿って並んで配置される。従って、ワイヤー収納部とコード収納部とが、鉛直方向に沿って並んで配置される場合と比較して、コード収納装置１を薄型化できる。その結果、コード収納装置１と、天井のような天壁との一体感を実現できる。
【００３０】
図３、図５（ａ）、及び図５（ｂ）に示すように、ワイヤー収納部Ｓ２は２つの凸部７１を含む。２つの凸部７１は対向している。凸部７１は、ワイヤー収納部Ｓ２の内壁面に形成される。凸部７１は、ワイヤー出入部６０の軸線Ａ１に沿って延びており、柱状である。ワイヤー５０をワイヤー収納部Ｓ２に収納するために、ワイヤー５０をワイヤー収納部Ｓ２に押し込む際に、ワイヤー５０の末端に設けられたストッパー８２が凸部７１に当接し、ワイヤー５０の末端の移動が規制される。従って、ワイヤー５０を略コイル状に円滑に巻くことができる。
【００３１】
具体的には、ワイヤー５０の末端（つまり、ストッパー８２）は、ワイヤー収納部Ｓ２に押し込まれた当初、筐体３Ａの内壁及び／又はプラグ部８０の下面などに当接する。さらに、ワイヤー５０を押し込むと、ワイヤー５０の末端が筐体３Ａの内壁などに当接しているため、ワイヤー５０が変形する。変形したワイヤー５０は、弾性変形可能な材料で形成されていることにより元の形状に戻ろうとする力が働き、ワイヤー５０の末端がワイヤー収納部Ｓ２内において水平方向へ向かって変位する。さらにワイヤー５０を押し込むと、ワイヤー５０の末端がワイヤー収納部Ｓ２の内壁面に沿って変位し、やがて凸部７１に当接する。さらにワイヤー５０を押し込むと、ワイヤー５０は、ワイヤー５０の末端が凸部７１により変位が規制されたままワイヤー収納部Ｓ２内に収納されていくが、ワイヤー５０に捻れ方向の力が働くため次第に略コイル状に巻かれていく。なお、ワイヤー５０が略コイル状に巻かれるのは、例えばワイヤー５０が複数本の細い金属線を捻って束ねたものであるからである。
【００３２】
また、ワイヤー収納部Ｓ２の内壁面は湾曲面７２及び湾曲面７４を含む。湾曲面７２及び湾曲面７４の各々は、ワイヤー出入部６０の軸線Ａ１に沿って延びている。湾曲面７２及び湾曲面７４の各々は、平面視において、略半円状である。ワイヤー５０は、ワイヤー収納部Ｓ２に押し込まれると、湾曲面７２及び湾曲面７４に沿って略コイル状に巻かれながら、ワイヤー収納部Ｓ２に収納される。つまり、ワイヤー５０は、湾曲面７２及び湾曲面７４によって、略コイル状に巻かれるようにガイドされる。その結果、ワイヤー５０は、略コイル状に巻かれ易くなる。
【００３３】
図２及び図３に示すように、ワイヤー出入部６０には、ワイヤー収納部Ｓ２から延びるワイヤー５０がワイヤー出入部６０の軸線Ａ１に沿って挿通される。ワイヤー出入部６０は、ワイヤー収納部Ｓ２からのワイヤー５０の引き出しと、ワイヤー収納部Ｓ２へのワイヤー５０の押し込みとが可能なように形成される。
【００３４】
ワイヤー出入部６０は、ナット６２と、ワイヤー調節部６６と、ナット６７と含む。ワイヤー調節部６６にはワイヤー５０が通される。ワイヤー調節部６６は、通されたワイヤー５０の移動を自由にする自由状態と、通されたワイヤー５０の移動を規制する規制状態とを有する。そして、ワイヤー調節部６６は、自由状態にされることで、コード収納装置１から照明器具本体２００までのワイヤー５０の長さを調節する。ワイヤー調節部６６は、規制状態にされることで、長さの調節されたワイヤー５０を、ワイヤー５０の引き出し及び押し込みが不能なように保持する。
【００３５】
具体的には、ワイヤー調節部６６は、円筒状の基部６３と、円筒状のピン６４と、ナット６５とを含む。基部６３は、ワイヤー収納部Ｓ２の下部に形成された開口部２４に挿入され、ナット６７によってワイヤー収納部Ｓ２の下部に固定される。基部６３にはピン６４が挿入される。基部６３にはバネ（不図示）が挿入されており、ピン６４はバネによって基部６３から突出するように付勢されている。
【００３６】
ピン６４が最も突出している場合、ピン６４に設けられた複数のボールベアリング（不図示）が、ワイヤー５０を締め付けている（又は挟持している）。従って、ワイヤー５０は引き出し及び押し込みが不能である。つまり、この場合、ワイヤー調節部６６の状態は規制状態である。
【００３７】
一方、ピン６４がバネの付勢力に抗して押し込まれると、ピン６４に設けられた複数のボールベアリングがフリーになり、ワイヤー５０の締め付けが解除される。従って、ピン６４を押し込んだ状態では、ワイヤー収納部Ｓ２からワイヤー５０を引き出したり、ワイヤー収納部Ｓ２にワイヤー５０を押し込んだりして、ワイヤー５０の長さを調節できる。つまり、この場合、ワイヤー調節部６６の状態は自由状態である。そして、ピン６４の押し込みを解除することにより、ワイヤー調節部６６が規制状態にされ、ワイヤー５０は引き出し及び押し込みが不能にされる。ワイヤー５０の長さを調節した後に、ピン６４が誤って押し込まれないように、ピン６４にはナット６５が螺合される。
【００３８】
ワイヤー調節部６６は、カバー３Ｂに形成された開口部２３に挿入され、カバー３Ｂから突出する。そして、ナット６２が基部６３に螺合される。ワイヤー調節部６６がナット６２に覆われるため、ワイヤー調節部６６を保護しつつ、美感を向上できる。なお、ワイヤー５０のストッパー８２は、基部６３の内径よりも大きいため、ワイヤー５０がワイヤー調節部６６から抜け落ちることが防止される。
【００３９】
図３に示すように、コード収納装置１は、電源収納部Ｓ３と、電源部４５と、隔壁部６９と、固定部材７３と、プラグ部８０とをさらに備える。電源収納部Ｓ３は、筐体３Ａに形成され、電源部４５を収納する。電源収納部Ｓ３とワイヤー収納部Ｓ２とは、鉛直方向に交差する方向に沿って並んで配置される。換言すれば、電源収納部Ｓ３とワイヤー収納部Ｓ２とは、コード収納装置１の長手方向に沿って並んで配置される。さらに換言すれば、図５（ｂ）に示すように、平面視において、電源収納部Ｓ３とワイヤー収納部Ｓ２とは異なる位置に配置される。
【００４０】
また、図３に示すように、電源収納部Ｓ３とコード収納部Ｓ１とは、鉛直方向に沿って並んで配置される。換言すれば、電源収納部Ｓ３とコード収納部Ｓ１とは、コード収納装置１の短手方向に沿って並んで配置される。さらに換言すれば、電源収納部Ｓ３とコード収納部Ｓ１とは対向する。
【００４１】
隔壁部６９は、板状であり、電源収納部Ｓ３とワイヤー収納部Ｓ２とを隔てる。従って、ワイヤー５０が電源部４５に接触することを防止できる。隔壁部６９は、例えば、金属製又は合成樹脂製である。
【００４２】
隔壁部６９は基部６９ａと傾斜部６９ｂとを含む。基部６９ａは、筐体３Ａの外下面２２に固定される。そして、傾斜部６９ｂは、ワイヤー収納部Ｓ２に形成された開口部７０を通って、ワイヤー出入部６０の軸線Ａ１に向かって突き出ている。傾斜部６９ｂは、ワイヤー出入部６０から離れるようにワイヤー出入部６０の軸線Ａ１に向かって傾斜している。なお、図５（ａ）では、傾斜部６９ｂが二点鎖線で示されている。
【００４３】
ワイヤー５０は、ワイヤー収納部Ｓ２に押し込まれると、傾斜部６９ｂ並びに湾曲面７２及び湾曲面７４（図５（ａ））に沿って略コイル状に巻かれながら、ワイヤー収納部Ｓ２に収納される。つまり、ワイヤー５０は、湾曲面７２及び湾曲面７４だけでなく、傾斜部６９ｂによっても、略コイル状に巻かれるようにガイドされる。その結果、ワイヤー５０は、略コイル状に更に巻かれ易くなる。
【００４４】
電源部４５は、プラグ部８０から供給される電源電圧に基づいて、コード５を介して照明器具本体２００の光源２０２に電力を供給する。図３では、理解の便宜のため、電源部４５及びコード５を二点鎖線で示す。光源２０２がＬＥＤを含む場合は、例えば、電源部４５は、変圧を行い、交流電源電圧を直流電源電圧に変換し、光源２０２に電流を供給する。光源２０２が蛍光灯を含む場合は、例えば、電源部４５は、変圧器及びインバーターを含み、低周波数の電源電圧を高周波数の電源電圧に変換して、交流電源電圧を光源２０２に供給する。光源２０２が白熱電球を含む場合は、例えば、電源部４５は、変圧を行い、交流電源電圧又は直流電源電圧を光源２０２に供給する。
【００４５】
固定部材７３は、筐体３Ａの外下面２２に形成された開口部２７の直上において、コード５を筐体３Ａに固定する。本実施形態では、固定部材７３は結束バンドである。なお、固定部材７３は任意の位置に配置でき、また、複数の固定部材７３を設けてもよい。電源部４５から延びるコード５は、開口部２７を通り、巻き部１１に巻かれる。
【００４６】
固定部材７３を設ける理由の１つは次の通りである。コード５には、照明器具本体２００の重量による張力に起因した負荷がかかる。そこで、固定部材７３による固定によって、コード５のうち固定部材７３と電源部４５との間の部分にかかる負荷を抑制する。その結果、コード５の破損又は破断を防止できると伴に、コード５と電源部４５との接続部分が外れることを防止できる。
【００４７】
プラグ部８０は、筐体３Ａの外上面３６において、ワイヤー出入部６０と対向するように配置される。プラグ部８０は、配線ダクト１００から供給される電源電圧を電源部４５に供給する。具体的には、プラグ部８０は、円柱状の軸体３１、一対の端子３３、及び一対の結合片３５を含む。
【００４８】
軸体３１は、軸体３１の軸線Ａ２の回りに回転可能である。本実施形態では、軸線Ａ２と軸線Ａ１とは略一致する。一対の端子３３は、軸体３１に固定され、電線により電源部４５と接続される。端子３３の各々は、鉛直方向に交差する方向に沿って軸体３１の周面から突出する。端子３３の先端は結合片３５よりも上方に配置される。一対の結合片３５は軸体３１に固定される。結合片３５の各々は、鉛直方向に交差する方向に沿って軸体３１の周面から突出する。
【００４９】
図１及び図３に示すように、一対の結合片３５は配線ダクト１００の一対の凹部１０４に結合されると伴に、一対の端子３３は配線ダクト１００の一対の導電部１０２に接触する。従って、一対の導電部１０２から一対の端子３３に電源電圧が印加される。そして、電源電圧は、一対の端子３３から電線を介して、電源部４５に供給される。また、筐体３Ａの外上面３６に形成された凸部３７が、配線ダクト１００の開口部１０６に挿入される。
【００５０】
図３を参照して、コード収納装置１にかかる荷重のバランスについて説明する。電源部４５及び巻き部１１は、ワイヤー出入部６０及びプラグ部８０から、鉛直方向に交差する方向に沿って離れた位置に配置される。一方、ワイヤー出入部６０とプラグ部８０とは、軸線Ａ１（つまり、軸線Ａ２）上に配置される。従って、コード収納装置１を配線ダクト１００に装着したときにコード収納装置１にかかる荷重のバランスを好適にすることができる。その結果、コード収納装置１の配線ダクト１００への装着を良好に維持できる。
【００５１】
以上、図１〜図５を参照して説明したように、本実施形態によれば、ワイヤー５０の収納を可能としつつ、コード収納装置１を薄型化できる。
【００５２】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００５３】
（１）本実施形態では、コード収納装置１の隔壁部６９は、筐体３Ａとは別部材であるが、筐体３Ａと一体的に形成されていてもよい。また、隔壁部６９は、傾斜部６９ｂを有しているが、傾斜部６９ｂに代えて、例えば、基部６９ａに対して直立した壁部を有していてもよい。また、ワイヤー５０と電源部４５とが大きく離れている等の理由でワイヤー５０と電源部４５とが接する可能性が低い場合は、隔壁部６９を設けなくてもよい。また、ワイヤー収納部Ｓ２の開口部７０を設けなくてもよい。
【００５４】
（２）本実施形態では、コード収納装置１には、２つの凸部７１が設けられるが、１つの凸部７１を設けてもよいし、３以上の凸部７１を設けてもよい。ただし、少なくとも２つの凸部７１を設けることが好ましい。２つの凸部７１を設けると、ワイヤー収納部Ｓ２において、ワイヤー５０が、時計回りに巻かれる場合でも、反時計回りに巻かれる場合でも、ワイヤー５０のストッパー８２が２つの凸部７１のいずれかに当接する可能性が高い。従って、ワイヤー５０の末端の移動が規制され、ワイヤー５０を略コイル状に円滑に巻くことができる。また、凸部７１を設けなくてもよいし、ワイヤー収納部Ｓ２に湾曲面７２及び湾曲面７４を設けなくてもよい。
【００５５】
（３）本実施形態では、コード収納装置１は、電源収納部Ｓ３及び電源部４５を備えるが、電源収納部Ｓ３及び電源部４５を備えなくてもよい。また、コード収納装置１は、カバー３Ｂを設けなくてもよい。また、ナット６２を設けなくてもよい。
【００５６】
（４）本実施形態では、コード収納装置１は、天壁に固定された配線ダクト１００に装着されるが、配線ダクト１００に装着することなく、天壁に直接固定されてもよい。この場合、例えば、コード収納装置１には、プラグ部８０に代えて、端子台が設けられる。また、巻き部１１を、ワイヤー出入部６０及びプラグ部８０（又は端子台）を設ける筐体と異なる筐体に設けて、２個の筐体を分離して天壁に取り付けてもよい。
【００５７】
（５）本実施形態では、コード収納装置１の巻き部１１のコア２５は板状であるが、コア２５の形状は板状に限定されず、任意の形状でよい。例えば、コア２５は、円筒状、円柱状、角筒状、又は角柱状である。
【産業上の利用可能性】
【００５８】
本発明は、コード収納装置及び照明器具を提供するものであり、産業上の利用可能性を有する。
【符号の説明】
【００５９】
１    コード収納装置
５    コード
６    コード出入部
１１  巻き部
４５    電源部
５０    ワイヤー（線状部材）
６０    ワイヤー出入部（線状部材出入部）
６９    隔壁部
６９ａ    基部
６９ｂ    傾斜部
７１    凸部
７２    湾曲面
７４    湾曲面
２００    照明器具本体
２０２    光源
３００    照明器具
Ｓ１    コード収納部
Ｓ２    ワイヤー収納部（線状部材収納部）
Ｓ３    電源収納部
【図１】
2016186885.tif 000003
【図２】
2016186885.tif 000004
【図３】
2016186885.tif 000005
【図４】
2016186885.tif 000006
【図５】
2016186885.tif 000007